(57)【特許請求の範囲】
【請求項１】
試料を分析する分析装置と、試料の前処理を行う処理装置とのいずれかの装置と、
前記装置を管理する管理装置とを備え、
前記管理装置は、
前記装置で発生したエラーを検知する異常検知手段と、
エラーの種類毎に複数のオペレータを登録したオペレータ通知管理テーブルを格納した記憶手段と、
前記異常検知手段で検知したエラーの種類に応じて前記オペレータ通知管理テーブルを基に対応すべき複数のオペレータにエラーを通知する異常通知手段と、
前記異常通知手段からエラーを通知されたオペレータのうちエラーに対処したオペレータである対処者を登録する登録手段と、
エラーを通知したオペレータのうち前記対処者以外の者に前記対処者の識別情報を通知する対処者通知手段と、
エラーを通知したオペレータのうち前記対処者以外の者に前記対処者の対処内容を通知する対処内容通知手段とを備えたことを特徴とする自動分析システム。
【請求項２】
請求項１の自動分析システムにおいて、
エラーを通知したオペレータのうち前記対処者以外の者に前記対処者からの支援要求を通知する支援要求通知手段を備えたことを特徴とする自動分析システム。
【請求項３】
請求項２の自動分析システムにおいて、
エラーを通知したオペレータのうち前記支援要求に応じたオペレータ以外の者に前記支援要求に応じたオペレータの識別情報を通知する支援者通知手段を備えたことを特徴とする自動分析システム。
【請求項４】
請求項１−３のいずれかの自動分析システムにおいて、
前記エラーが精度管理エラー又は消耗品不足であることを特徴とする自動分析システム。
【請求項５】
試料を分析する分析装置と、試料の前処理を行う処理装置とのいずれかの装置と、
前記装置を管理する管理装置と、
オペレータが利用する端末とを備え、
前記管理装置は、
前記装置で発生したエラーを検知する異常検知手段と、
エラーの種類毎に複数のオペレータを登録したオペレータ通知管理テーブルを格納した記憶手段と、
前記異常検知手段で検知したエラーの種類に応じて前記オペレータ通知管理テーブルを基に対応すべき複数のオペレータの端末にエラーを通知する異常通知手段と、
前記異常通知手段からエラーを通知されたオペレータのうちエラーに対処したオペレータである対処者を登録する登録手段とを備え、更に、
前記端末は、前記異常通知手段から通知されたエラーに対して対処の意思を表示する対処意思表示手段を備え、
前記管理装置は、
エラーを通知したオペレータのうち前記対処者以外の者に前記対処者の識別情報を通知する対処者通知手段と、
エラーを通知したオペレータのうち前記対処者以外の者に前記対処者の対処内容を通知する対処内容通知手段とを備えていることを特徴とする自動分析システム。
【請求項６】
請求項５の自動分析システムにおいて、
前記端末は、支援要求の意思を表示する支援要求意思表示手段を備え、
前記管理装置は、エラーを通知したオペレータのうち前記対処者以外の者に前記対処者からの支援要求を通知する支援要求通知手段を備えている
ことを特徴とする自動分析システム。
【請求項７】
請求項６の自動分析システムにおいて、
前記端末は、前記対処者からの支援要求に対して支援の意思を表示する支援意思表示手段を備え、
前記管理装置は、エラーを通知したオペレータのうち前記支援要求に応じたオペレータ以外の者に前記支援要求に応じたオペレータの識別情報を通知する支援者通知手段を備えている
ことを特徴とする自動分析システム。
【請求項８】
請求項６の自動分析システムにおいて、
前記端末は、前記対処者からの支援要求に対して支援しない旨を意思表示する不支援意思表示手段を備え、
前記管理装置は、エラーを通知したオペレータのうち前記支援できない旨を意思表示した者以外の者に前記支援要求に応じられないオペレータの識別情報を通知する不支援者通知手段を備えている
ことを特徴とする自動分析システム。
【請求項９】
請求項５−８のいずれかの自動分析システムにおいて、
前記端末は、特定のオペレータに支援を依頼する手段を備えていることを特徴とする自動分析システム。
【請求項１０】
請求項５−９のいずれかの自動分析システムにおいて、
前記端末は、撮影機能又は録音機能を有しており、
前記管理装置は、前記端末で記録された撮影データ又は録音データを他のオペレータ又は上位管理者に通知する手段を備えている
ことを特徴とする自動分析システム。
【請求項１１】
請求項５−１０のいずれかの自動分析システムにおいて、
前記端末は、試薬ディスク中の試薬の使用状況を視覚的に表示する手段を備えていることを特徴とする自動分析システム。
【請求項１２】
請求項５−１１のいずれかの自動分析システムにおいて、
前記端末は、通知されたエラーをその種別毎に一覧表示するアラーム一覧画面を表示することを特徴とする自動分析システム。
【請求項１３】
請求項５−１２のいずれかの自動分析システムにおいて、
前記端末は、エラーが発生した対象装置の取扱説明書を表示することを特徴とする自動分析システム。
【発明の詳細な説明】
【技術分野】
【０００１】
本発明は、血液や尿等の生体試料を分析する自動分析システムに関する。
【背景技術】
【０００２】
血液や尿等の生体サンプルの分析を行う自動分析装置は、分析結果の再現性の高さ、分析処理の迅速性等のメリットから現在の診断では不可欠となっている。この種の自動分析装置は、分析の種類に応じて複数種類のものが存在する。例えば、生化学分析を行う比色分析装置、抗原・抗体反応を用いて試料中の抗原又は抗体を分析する免疫分析装置、血液の凝固能を測定する凝固測定装置、血液中の血球成分の数を測定する血球カウンター等である。また、自動分析装置で試料を分析するに当たって、血液の遠心分離や、複数の子検体を作成するために試料を分注する等の前処理を実行する処理装置も利用されている。１つの病院や検査センター等では、これら自動分析装置や試料の処理装置を複数台使用することが一般的である。【０００３】
こうした自動分析装置や試料の処理装置についてエラーが発生した場合、早急に対処しないと分析が滞ってしまい、医師の診断が遅れてしまう恐れがある。そこで、装置に発生したエラーを担当者に伝えることによって早急な対応を図る技術が知られている（特許文献１等参照）。
【先行技術文献】
【特許文献】
【０００４】
【特許文献１】特開平７−２６０７９３号公報
【発明の概要】
【発明が解決しようとする課題】
【０００５】
特許文献１に記載された技術は、エラーの種類毎に適切に対処できる担当者にエラー発生の旨を連絡することができるが、連絡を受けた担当者がどのように対処したのかが他の者には分からないため、他の者は適切に対処されたのかどうか分からないという問題がある。また、対処すべき者として指定された担当者が離席中等で迅速に対処できない場合、対応が遅れる可能性がある。【０００６】
本発明の目的は、分析装置や処理装置等にエラーが発生しても誰が対処したかの情報を共有することができる自動分析システムを提供することにある。
【課題を解決するための手段】
【０００７】
上記目的を達成するために、本発明は、予め登録されたオペレータに発生したエラー事象を自動的に通知する仕組みを備え、通知を受けたオペレータが該エラーに対処する意思表示をした場合に、当該オペレータがエラーに対処する旨の情報が他のオペレータにも共有されるようにする。
【発明の効果】
【０００８】
本発明によれば、分析装置や処理装置等にエラーが発生しても誰が対処したかの情報を共有することができる。
【図面の簡単な説明】
【０００９】
【図１】本発明の一実施の形態に係る自動分析システムの概略構成を表すブロック図である。
【図２】本発明の一実施の形態に係る自動分析システムに備えられた管理装置の精度管理手段の機能ブロック図である。
【図３】本発明の一実施の形態に係る自動分析システムに備えられた精度管理監視手段による判定手順の一例を表すフローチャートである。
【図４】本発明の一実施の形態に係る自動分析システムにおける通知先管理テーブルの一例を表す概念図である。
【図５】本発明の一実施の形態に係る自動分析システムにおける通知結果管理テーブルの一例を表す概念図である。
【図６】本発明の一実施の形態に係る自動分析システムに備えられた外部端末の表示手段に表示される画面の一例を表す図である。
【図７】本発明の一実施の形態に係る自動分析システムにおける処置結果登録画面の一例を表す図である。
【図８】本発明の一実施の形態に係る自動分析システムに備えられた分析装置の全体構成を表す概略図である。
【図９】本発明の一実施の形態に係る自動分析システムに備えられた外部端末の表示手段に表示された試薬の残量不足を告げる通知画面の一表示例を表す図である。
【図１０】本発明の一実施の形態に係る自動分析システムに備えられた外部端末に表示されたアラーム一覧画面の一表示例を表す図である。
【図１１】本発明の一実施の形態に係る自動分析システムに備えられた外部端末に表示されたアラーム詳細画面の一表示例を表す図である。
【図１２】本発明の一実施の形態に係る自動分析システムに備えられた処理装置の全体構成を表す概略図である。
【図１３】本発明の一実施の形態に係る自動分析システムに備えられた外部端末に表示された試薬の使用状況の一表示例を表す図である。
【図１４】本発明の一実施の形態に係る自動分析システムに備えられた処理装置を構成する試料分注部の構成を表す概略図である。
【図１５】本発明の一実施の形態に係る自動分析システムに備えられた外部端末の表示手段に表示されたチューブの残量不足を告げる通知画面の一表示例を表す図である。
【図１６】本発明の一実施の形態に係る自動分析システムに備えられた外部端末に表示された分析装置と処理装置で発生したアラーム一覧画面の一表示例を表す図である。
【発明を実施するための形態】
【００１０】
以下に図面を用いて本発明の実施の形態を説明する。
【００１１】
図１は本発明の一実施の形態に係る自動分析システムの概略構成を表すブロック図である。
【００１２】
図示した自動分析システムは、試料を分析する分析装置１１０と、試料の前処理を行う処理装置１２０と、これら分析装置１１０及び処理装置１２０を管理する管理装置１３０と、オペレータが利用する複数の外部端末１５０（本例では２つしか図示していないが更に多数の場合もある）とを備えている。分析装置１１０と処理装置１２０は必ずしも一緒に管理装置１３０に接続されている必要はなく、分析装置１１０と管理装置１３０の組合せ、処理装置１２０と管理装置１３０だけの組合せもある。
【００１３】
管理装置１３０は、入力手段１３１と、表示手段１３２と、登録手段１３３と、異常通知手段１３４と、記憶手段１３５と、異常検知手段１３７と、精度管理手段１３８と、消耗品管理手段１３９と、対処者通知手段１４０と、対処内容通知手段１４１と、支援要求通知手段１４２と、支援者通知手段１４３と、不支援者通知手段１４４と、指定者連絡手段１４５と、通信手段１４６とを備えている。
【００１４】
入力手段１３１は、例えばキーボード、マウス、その他、表示手段１３２の画面タッチパネルを用いた入力手段等を含み、表示手段１３２で兼用することもある。表示手段１３２は、入力情報やその他の結果情報等を表示するモニタである。
【００１５】
登録手段１３３は、入力手段１３１により入力された通知先オペレータ情報を記憶手段１３５が格納するオペレータ通知管理テーブル１３６に登録したり、異常通知手段１３４からエラーを通知されたオペレータのうちエラーに対処したオペレータ（対処者）の識別情報や対処内容を記憶手段１３５に記録したりする。オペレータ通知管理テーブル１３６は、エラーの種類毎に少なくとも１人のオペレータ（当該エラーに対処すべき者の候補）を登録しており、通知先を管理するための通知先管理テーブル１３６１（図４参照）と、通知された結果に基づいてオペレータの処置状況を管理する通知結果管理テーブル１３６２（図５参照）で構成される。通信手段１４６は、外部端末１５０からの通知を受信し、対応する機能部に配信するものである。
【００１６】
異常検知手段１３７は、分析装置１１０、処理装置１２０及び管理装置１３０で発生したエラーを検知する。具体的には、分析装置１１０、処理装置１２０及び管理装置１３０から各種エラー信号を受信することで、分析装置１１０における精度管理エラーや試薬等の残量不足、動作不良、或いは処理装置１２０における消耗品の残量不足や動作不良等のエラーの発生及びその内容を検知する。
【００１７】
異常通知手段１３４は、異常検知手段１３７で検知したエラーについて、エラーの発生とその内容をネットワーク１６０経由で適当なオペレータに通知する。この場合、異常通知手段１３４は、全ての外部端末１５０のうちの、オペレータ通知管理テーブル１３６に登録されたエラーの種類に対応するオペレータが所持する端末に通知する。なお、ネットワーク１６０は、有線のローカルエリアネットワーク、無線を用いたローカルエリアネットワーク、携帯電話回線網、又はこれらの組み合わせを用いることができる。
【００１８】
精度管理手段１３８は、分析装置１１０の精度管理検査を実行する機能部であり、消耗品管理手段１３９は、分析装置１１０における試薬等の消耗品の残量を管理する機能部である。精度管理手段１３８によって分析装置１１０の制度管理検査を実行した結果認められた分析精度のエラーや、消耗品管理手段１３９の管理下で認識された消耗品の残量不足等が、異常通知手段１３４を介して担当オペレータの外部端末１５０に通知されるエラーの一例である。精度管理手段１３８や消耗品管理手段１３９による管理内容については後で例示する。
【００１９】
対処者通知手段１４０は、エラーを通知したオペレータのうち対処者以外の者に対処者の識別情報を通知する機能部であり、この対処者通知手段１４０からの通知によって、エラーが通知された対処者以外のオペレータに、誰がエラーに対処したかが知らされる。なお、対処者通知手段１４０による通知は、外部端末１５０の対処意思表示手段１５５（後述）からの対応するオペレータの意思の通知が通信手段１４６を介して入力された場合に通知対象者の外部端末１５０に送信されるものである。
【００２０】
対処内容通知手段１４１は、エラーを通知したオペレータのうち対処者以外の者に対処者がした対処内容を通知する機能部であり、この対処内容通知手段１４１からの通知によって、エラーが通知された対処者以外のオペレータに、対処者がした対処の内容が知らされる。なお、対処内容通知手段１４１による通知は、外部端末１５０の対処内容通知手段１５９（後述）に対して対処者が入力した対処内容に関する内容（コメント等）である。
【００２１】
支援要求通知手段１４２は、エラーを通知したオペレータのうち対処者以外の者に対処者からの支援要求を通知する機能部であり、この対処内容通知手段１４１からの通知によって、エラーが通知された対処者以外のオペレータに、対処者からの支援要求の意思が知らされる。なお、支援要求通知手段１４２による通知は、外部端末１５０の支援要求意思表示手段１５６（後述）が対処者によって操作された場合に、その入力に応じてなされるものである。
【００２２】
支援者通知手段１４３は、エラーを通知したオペレータのうち支援要求に応じたオペレータ以外の者に支援要求に応じたオペレータの識別情報を通知する機能部である。なお、支援者通知手段１４３による通知は、支援する意思を表示する者が外部端末１５０の支援意思表示手段１５７（後述）を操作した場合に、その入力に応じて支援の意思表示をした者以外の者に対してなされるものである。
【００２３】
不支援者通知手段１４４は、事情により対処者の支援要求に応じられないオペレータから支援できない旨の意思表示があった場合に、エラーを通知したオペレータのうち当該意思表示をしたオペレータ以外の者に不支援の意思表示をしたオペレータの識別情報を通知する機能部である。なお、不支援者通知手段１４４による通知は、不支援の意思を表示する者が外部端末１５０の不支援意思表示手段１５８（後述）を操作した場合に、その入力に応じて不支援の意思表示をした者以外の者に対してなされるものである。
【００２４】
指定者連絡手段１４５は、例えば外部端末１５０から特定のオペレータへの連絡を依頼する通知があった場合に、その指定されたオペレータに対して通知者からの通知を送信する機能部である。また、外部端末１５０を介してオペレータ同士の直接的な連絡を取り継ぐ機能部でもあり、この指定者連絡手段１４５を介して、例えばオペレータ同士の通話、文字データや画像データ、音声データのやり取り等をすることも可能である。例えば、対処者が特定のオペレータに支援又はアドバイスを仰ぎたい場合、特定のオペレータを指定して相手方と通話したりデータのやり取りをしたりすることができる。また、外部端末１５０に付属した録音機能により録音した通話内容や、静止画や動画の撮影機能により撮影した画像や映像等を、その他のオペレータや上位管理者に通知する機能を持たせることもできる。
【００２５】
外部端末１５０は、入力手段１５１と、表示手段１５２と、通信手段１５３と、指定者通知手段１５４と、対処意思表示手段１５５と、支援要求意思表示手段１５６と、支援意思表示手段１５７と、不支援意思表示手段１５８と、対処内容通知手段１５９とを備えている。この外部端末１５０は、オペレータが携帯する携帯端末が望ましいが、ノート型又はデスクトップ型のパーソナルコンピュータ等を用いることもでき、１台以上、何台存在しても良い。
【００２６】
入力手段１５１は、タッチパネル方式のものの他、キーボード等も用いることができる。表示手段１３２は、通知内容や入力情報その他の情報を表示するモニタであり、入力手段１５１を兼ね得る。また、外部端末１５０はネットワーク１６０を介して送られてくる管理装置１３０からのエラーその他の情報を通信手段１５３で受信し、表示手段１５２によりオペレータに通知する。このとき、音声や警告音等が併せて出力されるようにしても良い。
【００２７】
対処意思表示手段１５５は、管理装置１３０の異常通知手段１３４から通知されたエラーに対しそのオペレータが対処する意思がある場合に操作する操作出力手段であり、この対処意思表示手段１５５を操作する（又はオペレータＩＤを入力する）ことによって当該オペレータの対処の意思が管理装置１３０に送信され、ひいては意思表示したオペレータ（対処者）の識別情報が当該エラーに関連付けられた他のオペレータの端末１５０に対処者通知手段１４０によって送信されることとなる。
【００２８】
対処内容通知手段１５９は、対処者がその対処内容について入力（コメント等）する手段であり、この対処内容通知手段１５９に対処内容を入力して送信することによって当該対処者による対処内容が管理装置１３０に送信され、ひいては当該エラーに関連付けられた他のオペレータの端末１５０に対処内容通知手段１４１によって送信されることとなる。
【００２９】
支援要求意思表示手段１５６は、対処者が他の者の支援を必要とする場合に、支援要求を当該エラーに関する他のオペレータに呼び掛けるための操作出力手段であり、この支援要求意思表示手段１５６を操作することによって対処者の支援要求が管理装置１３０に送信され、ひいては当該エラーに関連付けられた他のオペレータの端末１５０に支援要求通知手段１４２によって送信されることとなる。
【００３０】
支援意思表示手段１５７は、対処者からの支援要求に対して支援の意思を表示する操作出力手段であり、この支援意思表示手段１５７を操作することによって当該オペレータの支援の意思が管理装置１３０に送信され、ひいては支援意思を表示したオペレータ（支援者）の識別情報が当該エラーに関連付けられた他のオペレータの端末１５０に支援者通知手段１４３によって送信されることとなる。
【００３１】
不支援意思表示手段１５８は、対処者からの支援要求に対応できない旨を表示する操作出力手段であり、この不支援意思表示手段１５８を操作することによって当該オペレータが支援に当たれない旨が管理装置１３０に送信され、ひいてはこの不支援の意思を表示したオペレータ（不支援者）の識別情報が当該エラーに関連付けられた他のオペレータの端末１５０に不支援者通知手段１４４によって送信されることとなる。
【００３２】
指定者通知手段１５４は、例えば対処者等が特定のオペレータを指定して支援を依頼した際にその旨を通知する操作出力手段であり、この指定者通知手段１５４を操作することによって当該オペレータが指定したオペレータが管理装置１３０に送信され、指定者連絡手段１４５を介して指定のオペレータの端末１５０に対処者の支援依頼の旨が通知されることとなる。
【００３３】
本実施の形態によれば、精度管理エラー、試薬切れ、消耗品切れ等のエラー事象について、誰が対処しようとしているのかを複数のオペレータで共有することができ、少なくとも１人の対処者がいることが確認できれば、他のオペレータは遂行中の業務を継続することができる。
【００３４】
また、本実施の形態によれば、エラー事象に対してした対処者の対処内容を複数のオペレータで共有することができ、複数のオペレータで対処内容の妥当性を評価することができ、対処内容が妥当性を欠くような場合には、対処者に対して適切に指示又はアドバイスを与えることが可能となり、自動分析装置や試料の処理装置等の稼動率を向上させることができる。
【００３５】
また、他のオペレータに支援を要求することにより、より柔軟かつ効率的にエラー事象に対処することができる。また、自分が対処できない状況にあることを他のオペレータに通知することもできるので、互いの出方を待って不必要に担当を譲り合うような状況に陥って対処が遅れることを抑制することができる。
【実施例１】
【００３６】
本実施の形態に係る自動分析システムの一使用例を説明する。ここでは、分析装置１１０の精度エラーに対処する場合について説明する。【００３７】
図２は管理装置１３０の精度管理手段１３８の機能ブロック図である。【００３８】
図示したように、精度管理手段１３８は、精度管理実施手段１３８１と、精度管理監視手段１３８２とを備えている。【００３９】
精度管理実施手段１３８１は分析装置１１０に精度管理の実施指令を行い、精度管理監視手段１３８２は分析装置１１０による精度管理検査の結果に対してエラー判定を行う。すなわち、分析装置１１０は、精度管理実施手段１３８１の指令にしたがって精度管理試料と試薬を用いて制度管理検査を実施し、その検査結果を精度管理手段１３８に送る。精度管理手段１３８は、分析装置１１０からの検査結果に対して精度管理監視手段１３８２を用いて統計処理することで分析装置１１０の精度管理を実施する。【００４０】
図３は精度管理監視手段１３８２による判定手順の一例を表すフローチャートである。【００４１】
ここでは、同一試薬と反応させても異なる結果の出る２種類の精度管理試料を用意し、検査で生じたエラーが物質と装置のいずれに起因するのかを判定する場合を例示する。分析装置１１０から出力される２種類の精度管理試料の検査結果について、どちらか一方の値が管理基準値の±２ＳＤ（ＳＤ：標準偏差）を超えたか否かを判定するステップ２０１、どちらか一方の値が管理基準値の±２．５ＳＤを超えていないか否かを判定するステップ２０２、どちらか一方の値が管理基準値の±３ＳＤを超えていないか否かを判定するステップ２０３、両方の値が管理基準値の＋２ＳＤ又は−２ＳＤを超えていないか否かを判定するステップ２０４、一方の値が管理基準値の＋２ＳＤを超えもう一方の値が−２ＳＤを超えていないか否かを判定するステップ２０５、どちらか一方の値が２回続けて管理基準値の＋２ＳＤ又は−２ＳＤを超えていないか否かを判定するステップ２０６、両方の値が２回続けて管理基準値の＋１ＳＤ又は−１ＳＤを超えていないか否かを検証するステップ２０７、どちらか一方の値が４回続けて管理基準値の＋１ＳＤ又は−１ＳＤを超えていないか否かを判定するステップ２０８、両方の値が５回続けて管理基準値の＋側又は−側のいずれか一方にないか否かを判定するステップ２０９、いずれか一方の値が１０回続けて基準値の＋側又は−側のいずれか一方にないか否かを判定するステップ２１０を順次実施する。【００４２】
両方の値が管理基準値の±２ＳＤ以内であってステップ２０１の判定が満たされない場合には、特にエラーがない状態でその旨が管理装置１３０に送信される。ステップ２０２の判定が満たされない場合には、ステップ２１３でＱＣエラー２フラグがセットされてステップ２０３に移り、ステップ２０３の判定が満たされない場合には、ステップ２１４でＱＣエラー１フラグがセットされてステップ２０４に移る。【００４３】
さらに、両方の試料が±２ＳＤを超えてステップ２０４の判定が満たされない場合には、ステップ２０４からステップ２１５に手順が移行して系統誤差１データアラームがセットされ、当該アラーム（ＱＣエラー１又は２がセットされていればそれを含む）が管理装置１３０に送信される。ステップ２０５の判定が満たされない場合には、ステップ２０５からステップ２１６に手順が移行して偶発誤差データアラームがセットされ、当該アラーム（ＱＣエラー１又は２がセットされていればそれを含む）が管理装置１３０に送信される。ステップ２０６の判定が満たされない場合には、ステップ２０６からステップ２１７に手順が移行して系統誤差２データアラームがセットされ、当該アラーム（ＱＣエラー１又は２がセットされていればそれを含む）が管理装置１３０に送信される。ステップ２０７の判定が満たされない場合には、ステップ２０７からステップ２１８に手順が移行して系統誤差３データアラームがセットされ、当該アラーム（ＱＣエラー１又は２がセットされていればそれを含む）が管理装置１３０に送信される。ステップ２０８の判定が満たされない場合には、ステップ２０８からステップ２１９に手順が移行して系統誤差４データアラームがセットされ、当該アラーム（ＱＣエラー１又は２がセットされていればそれを含む）が管理装置１３０に送信される。ステップ２０９の判定が満たされない場合には、ステップ２０９からステップ２２０に手順が移行して系統誤差５データアラームがセットされ、当該アラーム（ＱＣエラー１又は２がセットされていればそれを含む）が管理装置１３０に送信される。ステップ２１０の判定が満たされない場合には、ステップ２１０からステップ２２１に手順が移行して系統誤差６データアラームがセットされ、当該アラーム（ＱＣエラー１又は２がセットされていればそれを含む）が管理装置１３０に送信される。【００４４】
一方、ステップ２０４−２１０までの判定を全て満たされた場合には、ステップ２１１に手順を移し、ＱＣエラー１フラグがセットされていないか否かを判定する。ＱＣエラー１フラグがセットされていればステップ２２２に手順を移し、ＱＣエラー１データアラームがセットされ、当該アラームが管理装置１３０に送信される。ＯＣエラー１フラグがセットされていない場合には、ステップ２１２に手順を移し、ＱＣエラー２フラグがセットされていないか否かを判定する。ＱＣエラー２フラグがセットされていればステップ２２３に手順を移し、ＱＣエラー２データアラームがセットされ、当該アラームが管理装置１３０に送信される。ＱＣエラー２フラグがセットされていなければ、特にエラーがない状態でその旨が管理装置１３０に送信される。【００４５】
管理装置１３０に入力されたエラーデータは、精度管理監視手段１３８２を介して異常検知手段１３７に出力され、異常検知手段１３７から異常通知手段１３４を介してエラーに応じたオペレータの外部端末１５０に通知される。【００４６】
このとき、異常通知手段１３４は、記憶手段１３５が管理する上記通知管理テーブル１３６１（図４参照）を参照し、通知するオペレータを監視結果に応じて抽出する。【００４７】
図４は通知先管理テーブル１３６１の一例を表す概念図である。【００４８】
通知先管理テーブル１３６１は、管理アラーム３０１、監視結果３０２、通知オペレータＩＤ３０３で構成されている。異常通知手段１３４は、システムにログインしているオペレータを識別し、通知オペレータＩＤ３０３との論理関を求め真となるオペレータ（アラーム毎に登録されたオペレータのうちログインしているオペレータ）のみに通知する。例えば、監視結果に系統誤差１データアラームがあり、オペレータ００１，００２，００７，００８がログインしている場合には、異常通知手段１３４はオペレータ００１，００２にのみ当該アラームに係るエラーを通知する。異常通知手段１３４は、通知した情報を記憶手段１３５に格納した通知結果管理テーブル１３６２（図５参照）に格納する。また、この場合、オペレータ００１，００２の外部端末１５０は通知手段１３４からの通知を通信手段１５３で受信し、受信直後にその情報を表示装置１５２にポップアップ表示する。【００４９】
図５は通知結果管理テーブル１３６２の一例を表す概念図である。【００５０】
通知結果管理手段１３６２は、アラームが発生した日付と日付内シーケンス番号で構成する発生アラーム管理番号４０１、異常検知手段１３７からアラームの通知指示依頼を受けた日時を表すアラーム発生日時４０２、発生したアラームのコードを表すアラームコード４０３、通知したオペレータのＩＤを表す通知者コード４０４、アラームに対処したオペレータ（対処者）のＩＤを表す対処者コード４０５、対処者によって対処内容について登録されたコメント４０６、アラームの対応が完了したか否かの状況を表す完了フラグ４０７で構成されている。【００５１】
異常通知手段１３４は、発生アラーム管理番号４０１にアラーム発生日と発生日内のシーケンス番号を格納し、アラーム発生日時４０２にアラームの発生日時を格納し、アラームコード４０３にアラームコードを格納し、通知したオペレータＩＤを通知者コード４０４に格納し、対処者からコメントが入力された場合にはそれをコメント４０６に格納し、完了の通知があった場合には完了フラグ４０７にそのフラグをセットする。【００５２】
図６は外部端末１５０の表示手段１５２に表示される画面の一例を表す図である。【００５３】
図示した画面は、管理装置１３０からエラーが通知された際にオペレータの外部端末１５０の表示手段１５２に表示されるものであり、表示手段１５２は、通知された精度管理について、装置番号、精度管理試料、検査項目、検査結果、エラー番号、対処者を含むエラー情報５０１をポップアップ表示する。このポップアップ画面には、オペレータがその精度管理エラーに対処するか否かを選択するボタン５０２，５０３が備わっている。オペレータが精度管理エラーに対処する場合には、
「はい」ボタン５０２を操作し、精度管理エラーに対処しない場合には、「いいえ」ボタン５０３を操作する。これらボタン５０２，５０３は対処意思表示手段１５５に連動しており、例えば同図のポップアップ画面がオペレータ００１の外部端末１５０のものであるとすると、「はい」ボタン５０２が操作された場合には、管理装置１３０の対処者通知手段１４０は、通知結果管理テーブル１３６２の対処者コード４０５に当該オペレータＩＤ００１を格納し、また、オペレータ００１が対処者であることを他のオペレータにも通知する。「いいえ」ボタン５０３が操作された場合には、対処しない旨の意思表示が管理装置１３０を介して他のオペレータにも通知される。完了通知も他の者に通知される。【００５４】
図７は処置結果登録画面の一例を表す図である。【００５５】
図示した処理結果登録画面は、対処者がエラーに対してした対処内容を入力する画面であり、この画面では対処した精度管理アラーム管理番号６０５を入力し、入力すると精度管理のエラー情報６０１が表示されるので、エラー情報６０１を確認する。間違いないことが確認されたら、アラームの対処の結果について必要に応じてコメント欄６０４にコメントを入力する。そして、アラームの処置が完了した場合には、「はい」ボタン６０２を操作し、アラームの処置が完了していない場合には、「いいえ」ボタン６０３を操作する。【００５６】
同図の場合、オペレータ００１がＱＣエラー１データアラームに対処し、必要なコメントをコメント欄６０４に入力して「はい」ボタン６０２又は「いいえ」ボタン６０３を操作することで、その情報を受け取った管理装置１３０では、登録手段１３３によって記憶手段１３５の通知管理結果テーブル１３６２（図５参照）に対処内容や対処が完了したか否かの情報が登録され、対処内容通知手段１４１を介して他のオペレータにも当該情報が通知される。この例では、通知結果管理テーブル１３６２の対処者コード４０５にオペレータＩＤ００１が登録され、コメント４０６に「プローブの交換が必要です」が登録される。完了フラグ４０７には、処置結果登録画面で「はい」ボタン６０２が操作された場合には１、「いいえ」ボタン６０３が操作された場合には０が登録される。【００５７】
本実施例によれば、アラーム情報を受信直後に表示し、その場で対処の可否を選択し通知することができるので、アラームに対して対処者を迅速に決定し、その情報を複数の関係のオペレータに知らせることができ、エラー事象に迅速に対処することができる。また、通知されたアラームについて、対処者の情報や対処内容に関するコメントを記録することにより、例えば、同一の装置に後日同一又は類似のエラー事象が発生した際に、処置の是非についてレビューすることができる。また、エラーの対処完了の有無を登録することにより、他のオペレータが対処済みであることを知ることができ、対処済みのエラーに対する重複労力を排除することができ、これによっても業務効率を向上させることができる。
【実施例２】
【００５８】
本実施の形態に係る自動分析システムの他の使用例を説明する。ここでは、分析装置における消耗品不足に対する対処の例を説明する。【００５９】
図８は分析装置１１０の全体構成を表す概略図である。【００６０】
図８に示すように、分析装置１１０は、反応ディスク８０１、その同心円周上に設定された複数の反応容器８０２、試薬ディスク８０３、その同心円周上に設定された種々の試薬が入った試薬ボトル８０４、反応ディスク８０１の周囲に設けた試料分注機構８０５、攪拌装置８０６、洗浄装置８０７、光源８０８、多波長光度計８０９等を有する。【００６１】
反応ディスク８０１及び試薬ディスク８０３の間には試薬分注機構８１０が配置されている。また、試料分注機構８０５の回転円周上にはラック搬送ライン８１１が設置されており、ラックを運ぶ搬送ライン８１１に乗ってラック８１２が移動する。ラック８１２の中には試料を入れた試料容器８１３を複数個架設することができ、ラック８１２上の試料容器８１３の架設の有無は試料容器検知器８１４によって検知される。試料容器８１３には試料バーコードが貼付されており、この試料バーコードをバーコードリーダ８１５で読み取ることで試料が特定される。これら機構の動作の全ては、インターフェース８１６を介して管理装置１３０により制御されている。【００６２】
分析装置１１０は管理装置１３０からの指示を受けて次のように分析動作を実行する。【００６３】
試料分注機構８０５は、試料容器８１３の中に入った試料を所定量だけ反応容器８０２に分注する。１つの試料容器８１３について分注が完了したら、次の試料容器８１３が試料分注機構８０５の真下に来るようにラック搬送ライン８１１上をラック８１２が移動する。【００６４】
ラック８１２に入っている全ての試料容器８１３について分注が完了したら、ラック８１２はラック搬送ライン８１１によって搬出される。試料が分注された反応容器８０２は反応ディスク８０１の回転動作によって移動し、その間に、試薬分注機構８１０によって試薬ボトル８０４内の試薬が分注されて試料に添加され、攪拌装置８０６によってその反応液が攪拌され、光源８０８及び多波長光度計８０９による吸光度の測定が行われる。その後に洗浄装置８０７によって分析の終了した反応容器８０２は洗浄される。【００６５】
測定された吸光度信号はＡ／Ｄコンバータ８１７でデジタル信号に変換され、インターフェース８１６を介して管理装置１３０へ入力される。この吸光度信号を基に、予め被検物質毎に設定された分析法によって試料の物質成分が測定される。この測定データは、標準液試料の濃度データから算出された検量線データと比べることによって濃度データが算出される。【００６６】
以上の過程を経ることで試薬ボトル８０４の中に充填されている試薬が消費される。試薬ボトル８０４内の試薬が試薬分注機構８１０により反応ディスク８０１の反応容器８０２に分注され、試薬残量に不足が生じると消耗品管理手段１３９（図１参照）から異常検知手段１３７に通知され、異常通知手段１３４を経由して対応するオペレータの外部端末１５０に通知がなされる。【００６７】
なお、試薬残量については、試薬ボトル８０４の初期残量が既知（例えば５００テスト分）であるため、消耗品管理手段１３９が管理する分析の実施回数を基に残量が予め設定した閾値（例えば２０テスト分）まで減少したら、消耗品管理手段１３９からアラームが出される。【００６８】
図４に例示した通知先管理テーブル１３６１では、管理アラーム３０１のＮｏ．１０１は試薬残量が設定の閾値以下になったことを知らせる「試薬残量閾値以下アラーム」であり、当該アラームについては通知オペレータＩＤ３０３にオペレータ００１が登録されている。また、管理アラーム３０１がＮｏ．１０２は試薬残量がなくなったことを知らせる「試薬残量ゼロアラーム」であり、当該アラームについては通知オペレータＩＤ３０３にオペレータ００１−００３が登録されている。「試薬残量ゼロアラーム」は、分析できない検査項目が発生し得る重篤な状況を警告するものである。【００６９】
図９は外部端末１５０の表示手段１５２に表示された試薬の残量不足を告げる通知画面９０１の一表示例を表す図である。【００７０】
図９の通知画面９０１は、異常通知手段１３４からの通知を受けて外部端末１５０の表示手段１５２にポップアップ表示されたもので、この通知画面９０１には、アラームが発生した分析装置１１０の装置番号９０２、アラームのレベル（重篤度）９０３、及びアラームの概要９０４等が表示される。通知画面９０１でＣｌｏｓｅボタン９０５を操作すると通知画面９０１が終了し、Ｖｉｅｗボタン９０６を操作するとアラームの一覧が表示される。【００７１】
図１０はＶｉｅｗボタン９０６を操作して表示されたアラーム一覧画面１００１の一表示例を表す図である。【００７２】
図１０のアラーム一覧画面１０００は、この画面のタイトルを表示するタイトル部１００１、表示させたいアラームの種別を選択する表示条件選択ボタン部１０１２、選択した種別のアラームの一覧を表示するアラーム一覧画面部１００７、及び各種情報を表示させるための表示情報選択ボタン部１０１３、最後に情報を取得した時刻１０１１等が表示されている。【００７３】
表示条件選択ボタン部１０１２には、「すべて」ボタン１００２、「対処中」ボタン１００３、「担当分」ボタン１００４、「完了」ボタン１００５、「支援要求」ボタン１００６が備わっている。【００７４】
「すべて」ボタン１００２を操作した場合には、現在管理装置１３０に登録されているアラームが全てアラーム一覧画面１００７に表示される。【００７５】
「対処中」ボタン１００３を操作した場合には、管理装置１３０に登録されたアラームのうち、現在対処中であって対処が完了していないアラームの一覧がアラーム一覧画面１００７に表示される。【００７６】
「担当分」ボタン１００４を操作した場合には、管理装置１３０に登録されているアラームのうち当該外部端末１５０を所有するオペレータが担当すべきアラーム（自己が図４の通知オペレータＩＤ３０３に登録されているアラーム）又は過去に担当したアラームの一覧がアラーム一覧画面１００７に表示される。【００７７】
「完了」ボタン１００５を操作した場合には、管理装置１３０に登録されているアラームのうち既に対処が完了しているアラームの一覧がアラーム一覧画面１００７に表示される。【００７８】
「支援要求」ボタン１００６を操作した場合には、管理装置１３０に登録されているアラームのうち対処者から支援要求があったアラームの一覧がアラーム一覧画面１００７に表示される。「支援要求」ボタン１００６は、例えば支援を求めているアラームが発生している場合には赤色になり、オペレータの目を惹くようになっている。【００７９】
アラーム一覧画面１００７には、管理装置１３０に現在登録されている全てのアラームのうち、表示条件選択ボタン部１０１２で選択したものが時系列に表示され、表示対象のアラーム一覧が一画面に収まらない場合には画面をスクロールできるようになる。時系列表示は新しいアラームから順に表示し、最新の情報からオペレータがアラーム発生状況を把握することができるようになっているが、古いアラームから順に表示するように並べ替えることもできる。図１０では「全て」ボタン１００２が操作されている場合を例示している。このアラーム一覧画面１００７の各アラームの欄には、アラームが発生した装置の名称、アラームレベル、アラームの概要、発生時刻、対処状況が表示される。アラームの対処状況としては、例えば、「未対応」、「対処中」、「完了」、「支援要求」、「担当」（自らの担当）等の情報が表示される。また、「対応中」ボタン１００３又は「支援要求」ボタン１００６を操作して表示されたアラームについては、担当オペレータ（対処者）の氏名が表示される。そして、アラーム一覧画面１００７で選択操作（タッチ操作等）すると、当該アラームの詳細情報が表示される（図１１で後述）。【００８０】
上記表示情報選択ボタン部１０１３には、「アラーム」ボタン１００８、「ヘルプ」ボタン１００９、及び「設定」ボタン１０１０で構成されている。「アラーム」ボタン１００８を操作した場合には、アラーム一覧画面が最新の情報に更新される。「ヘルプ」ボタン１００９を操作した場合には、アラームが発生した対象装置のヘルプ画面（例えば取扱説明書）が表示される。「設定」ボタン１０１０を操作した場合には、画面の表示態様（画面レイアウト等）の選択、アラームの通知条件（受信可否）の設定等をするための設定画面が表示される。【００８１】
図１１はアラーム一覧画面１００７でアラームを選択して表示手段１５２に表示されたアラーム詳細画面１１００の一表示例を表す図である。【００８２】
図１１に例示したアラーム詳細画面１１００は、タイトル部１１０１、アラーム詳細表示部１１０２、アラーム詳細の対応画面を表示させる「詳細」ボタン１１０３、他のオペレータに支援を求める「支援を要求する」ボタン１１０４、他のオペレータの支援要求に対して支援の意思を表示する「支援する」ボタン１１０５、当該アラームを担当する意思を表示する「担当する」ボタン１１０６、特定のオペレータに支援を依頼する「支援者を指定する」ボタン１１０９、当該アラームには対処できない旨を意思表示する「他の者に委ねる」ボタン１１１０及びアラーム一覧画面１００に戻る「アラーム一覧」ボタン１１０７を備えている。【００８３】
タイトル部１１０１には、現在時刻及び表示情報を取得した時刻を含む時刻情報１１０８が表示される。アラーム詳細表示部１１０２には、アラームが発生した装置とその発生部位の情報、アラームレベル、アラームの詳細、アラームへの対処方法が表示される。更に、「詳細」ボタン１１０３を操作すると、例えば試薬不足のアラームの場合には試薬ディスクの情報が表示されたりする（図１２で後述）。【００８４】
「支援を要求する」ボタン１１０４を操作した場合には、前述した支援要求意思表示手段１５６から支援要求の通知がなされ、通知を受け取った管理装置１３０では、通知先管理テーブル１３６１の通知オペレータＩＤ３０３に登録されている他のオペレータに対して、支援要求通知手段１４２を介して支援を求める通知がなされ、相手方の外部端末１５０にポップアップ表示される。【００８５】
「支援する」ボタン１１０５を操作した場合には、前述した支援意思表示手段１５７から支援意思の通知がなされ、通知を受け取った管理装置１３０では、通知結果管理テーブル１３６２の対処者コード４０５に意思表示したオペレータの識別コードを追加登録し、このアラームについて通知先管理テーブル１３６１に登録されている他のオペレータに対して、支援者通知手段１４３を介して支援者を通知する。【００８６】
「担当する」ボタン１１０６を操作した場合には、前述した対処意思表示手段１５５から対処意思の通知がなされ、通知を受け取った管理装置１３０では、通知結果管理テーブル１３６２の対処者コード４０５に意思表示したオペレータの識別コードを登録し、このアラームについて通知先管理テーブル１３６１に登録されている他のオペレータに対して、対処者通知手段１４０を介して対処者を通知する。【００８７】
「支援者を指定する」ボタン１１０９を操作した場合には、指定者通知手段１５４から指定オペレータの通知がなされ、通知を受け取った管理装置１３０では、指定されたオペレータに対して指定者連絡手段１４５を介してその旨の通知がなされ、相手方の外部端末１５０にポップアップ表示される。【００８８】
「他の者に委ねる」ボタン１１１０を操作した場合には、前述した不支援意思表示手段１５８から支援できない旨の通知がなされ、通知を受け取った管理装置１３０では、このアラームについて通知先管理テーブル１３６１に登録されている他のオペレータに対して、不支援者通知手段１４４を介して当該オペレータが支援できない旨を通知する。【００８９】
図１２はアラーム詳細画面１１０１で「詳細」ボタン１１０３を操作して表示手段１５２に表示された試薬の使用状況の一表示例を表す図である。【００９０】
図１３の試薬ディスクのアラーム詳細画面１３０２では、試薬残量が不足している箇所をハッチングで表してある。実施には、例えば、試薬残量がゼロの箇所は赤色、試薬残量が閾値以下の箇所は黄色、十分な残量がある箇所は青色、試薬がセットされていない箇所は無色（空白）で表示する等、試薬の使用状況によって色分け表示して、残量状況を視覚的に確認することができる。アラーム詳細画面１３０２に表示された試薬ディスクのモデル図には、試薬ディスクのポジション（ディスク上のアドレス）が記載されており、対処すべき箇所が容易に認識できるようになっており、試薬を効率良く交換できる。【００９１】
本実施例によれば、試薬ボトル８０４の試薬の残量情報を外部端末１５０で参照できるので、具体的に交換すべき試薬ボトルを容易に把握できることができ、試薬を効率的に交換することができる。また、通知されたアラームのうち自分の担当分のみを確認することができるので、アラームへの対処漏れを防止することができる。また、支援要求がされたアラームを確認することができるので、対処が遅れているアラームの有無を確認することができ、対処状況に動的かつ柔軟に対応することができ、エラー事象の迅速な解決に寄与することができる。さらには、自分の担当分や支援要求がされたアラームのみならず、通知されたアラームを全て一覧することができるので、システム全体のアラーム発生状況を確認することができる。
【実施例３】
【００９２】
本実施の形態に係る自動分析システムの他の使用例を説明する。ここでは、試料の前処理を行う処理装置における消耗品不足に対する対処の例を説明する。【００９３】
図１２は処理装置１２０の全体構成を表す概略図である。【００９４】
図１２に示すように、処理装置１２０は、試料容器投入部１２０２、試料容器の栓を開ける開栓部１２０３、開栓した試料容器から別容器に試料を分注する試料分注部１２０４、試料を分注した別容器にバーコードを貼り付けるバーコード貼り付け部１２０５、試料容器と、バーコードを貼り付けた前記別容器を収納する収納部１２０６、これらの部位を接続し、試料容器、前記別容器を各部位に搬送する搬送ライン部１２０７、全ての部位を制御するためのインタフェース１２０１を有する。インタフェースは管理装置１３０と接続されている。【００９５】
試料投入部１２０２に設置された試料容器は搬送ライン部１２０７を使って、開栓部１２０３へ搬送される。開栓部１２０３では、試料容器の栓を開ける処理を行う。栓を開けられた試料容器は、搬送ライン部１２０７を使って、試料分注部１２０４へ搬送される。試料分注部１２０４では試料間での汚染を防ぐために、使い捨てのサンプリングチューブを使用して試料容器から別容器に試料を分注する。分注された試料容器は搬送ライン部１２０７を使って、収納部１２０６へ搬送され、収納される。試料が分注された別容器は搬送ライン部１２０７を使ってバーコード貼り付け部１２０５へ搬送される。バーコード貼り付け部１２０５では別容器にバーコードを貼り付ける。バーコードが貼り付けられた別容器は搬送ライン部１２０７を使って、収納部１２０６へ搬送され、収納される。これらの動作の全ては、インタフェース１２０１を介して管理装置１３０により制御されている。【００９６】
図１４に試料分注部１２０４の構成を示す。試料分注部１２０４は使い捨てのサンプリングチューブ１４０１をセットするチューブセット部１４０２、使用済みのサンプリングチューブを廃棄する、廃棄部１４０６、試料を分注する分注機構１４０３を有する。チューブセット部１４０２と廃棄部１４０６はインタフェース１２０１と接続されている。【００９７】
試料分注部１２０４に試料容器１４０４が搬送されると分注機構１４０３はチューブセット部１４０２からサンプリングチューブ１４０１を取り出し、分注機構１４０３に装着する。分注機構１４０３はサンプリングチューブ１４０１を使用して、試料容器１４０４から必要量の試料を吸引して、別容器１４０６に運び、試料を吐出する。その後、分注機構１４０３はサンプリングチューブ１４０３を廃棄部１４０６へ廃棄する。これらの動作の全ては、インタフェース１２０１を介して管理装置１３０により制御されている。【００９８】
以上の過程を経ることでチューブセット部１４０２の中にセットされているサンプリングチューブ１４０１が消費される。チューブセット部１４０２内のサンプリングチューブ１４０１が分注機構１４０３により試料分注に使用され、廃棄部１４０６へ廃棄され、サンプリングチューブの残量に不足が生じると消耗品管理手段１３９（図１参照）から異常検知手段１３７に通知され、異常通知手段１３４を経由して対応するオペレータの外部端末１５０に通知がなされる。【００９９】
なお、サンプリングチューブ１４０１の残量については、チューブセット部１４０２の残量センサー１４０７が、消耗品管理手段１３９が管理するサンプリングチューブ１４０１の残量が予め設定した閾値（例えば５０試料分）まで減少したら、消耗品管理手段１３９からアラームが出される。【０１００】
図４に例示した通知先管理テーブル１３６１では、管理アラーム３０１のＮｏ．１４０１はサンプリングチューブ残量が設定の閾値以下になったことを知らせる「チューブ残量閾値以下アラーム」であり、当該アラームについては通知オペレータＩＤ３０３にオペレータ４０１が登録されている。また、管理アラーム３０１がＮｏ．１４０２はサンプリングチューブ残量がなくなったことを知らせる「チューブ残量ゼロアラーム」であり、当該アラームについては通知オペレータＩＤ３０３にオペレータ４０１、４０２が登録されている。「チューブ残量ゼロアラーム」は、試料の分注ができない重篤な状況を警告するものである。【０１０１】
図１５は外部端末１５０の表示手段１５２に表示されたチューブ残量不足を告げる通知画面１５０１の一表示例を表す図である。【０１０２】
図１５の通知画面１５０１は、異常通知手段１３４からの通知を受けて外部端末１５０の表示手段１５２にポップアップ表示されたもので、この通知画面１５０１には、アラームが発生した処理装置１２０の装置番号１５０２、アラームのレベル（重篤度）１５０３、及びアラームの概要１５０４等が表示される。通知画面１５０１でＣｌｏｓｅボタン１５０５を操作すると通知画面１５０１が終了し、Ｖｉｅｗボタン５１０６を操作するとアラームの一覧が表示される。【０１０３】
図１６はＶｉｅｗボタン１５０６を操作して表示されたアラーム一覧画面１６０１の一表示例を表す図である。この画面では分析装置と処理装置のアラームを１画面で見ることができる。【０１０４】
本アラーム通知を受けたオペレータは、アラームの内容に従い、試料分注部のチューブセット部１４０２にサンプリングチューブ１４０１をセットする。サンプリングチューブセット部１４０２はサンプリングチューブ１４０１がセットされたことを、残量センサー１４０７によって認識する。サンプリングチューブの残量が変更された情報は、消耗品管理手段１３９から異常検知手段１３７に通知され、異常通知手段１３４を経由して対応するオペレータの外部端末１５０に管理アラーム３０１のＮｏ．１１４０１もしくはＮｏ．１１４０２の通知がなされ、オペレータは図７の処理結果登録画面でのエラーの対処終了通知を実施しなくてもよい。【０１０５】
本実施例によれば、サンプリングチューブ１４０１の残量情報を外部端末１５０で参照できるので、具体的な処置を容易に把握できることができ、迅速な処置を行うことができる。また、処理装置だけでなく、分析装置の通知されたアラームも全て一覧することができるので、分析システム全体のアラーム発生状況、対処状況を確認することができる。【０１０６】
更に、オペレータが対処した結果をセンサーが検知することによって、エラーの対処終了通知処理を実施しなくてもよく、オペレータの負担を更に軽減している。
【符号の説明】
【０１０７】
１００    自動分析システム
１１０    分析装置
１２０    処理装置
１３０    管理装置
１３３    登録手段
１３４    異常通知手段
１３５    記憶手段
１３６    オペレータ通知管理テーブル
１３７    異常検知手段
１４０    対処者通知手段
１４１    対処内容通知手段
１４２    支援要求通知手段
１４３    支援者通知手段
１５０    外部端末
１５５    対処意思表示手段
１５６    支援要求意思表示手段
１５７    支援意思表示手段
１５８    不支援意思表示手段
１０００  アラーム一覧画面
【図１】
0005993865.tif 000002
【図２】
0005993865.tif 000003
【図３】
0005993865.tif 000004
【図４】
0005993865.tif 000005
【図５】
0005993865.tif 000006
【図６】
0005993865.tif 000007
【図７】
0005993865.tif 000008
【図８】
0005993865.tif 000009
【図９】
0005993865.tif 000010
【図１０】
0005993865.tif 000011
【図１１】
0005993865.tif 000012
【図１２】
0005993865.tif 000013
【図１３】
0005993865.tif 000014
【図１４】
0005993865.tif 000015
【図１５】
0005993865.tif 000016
【図１６】
0005993865.tif 000017